(57)【要約】【課題】  腰を深く曲げなくても収容物を容易に出し入れできるキャビネット用引出しを提供する。【解決手段】  キャビネット２内に収納された引出し３Ｂの収納位置ａに比して、キャビネット２から引出された引出し３Ｂの引出し位置ｂを高くする上昇手段７が設けられて、この上昇手段７は、奥側が低く、手前側が高くなったガイド９が形成されて、引出し３Ｂの引出し方向に移動する保持板８と、引出し３Ｂに形成されて、保持板８のガイド９に係合する被ガイド１１とで構成されている。【選択図】  図１
2005087365.tif 000002
【特許請求の範囲】
【請求項１】
キャビネット内に収納された引出しの収納位置に比して、キャビネットから引出された引出しの引出し位置を高くする上昇手段が設けられていることを特徴とするキャビネット用引出し。
【請求項２】
上記上昇手段は、奥側が低く、手前側が高くなったガイドが形成されて、引出しの引出し方向に移動する保持板と、上記引出しに形成されて、上記保持板のガイドに係合する被ガイドとで構成されている請求項１記載のキャビネット用引出し。
【請求項３】
上記ガイドは、連通した溝であって、コ字状に形成された上記保持板の対面する板体に対向してそれぞれ２本形成されるとともに、上記被ガイドは、上記２本の溝にそれぞれ遊嵌される突起である請求項２記載のキャビネット用引出し。
【請求項４】
上記保持板の対面する板体の下部にそれぞれレールが形成されるとともに、このレールをガイドする固定レールがキャビネットに設けられている請求項２記載のキャビネット用引出し。
【請求項５】
上記上昇手段は、アームであって、引出しの引出し方向に移動する保持板にアームの一端が支持されるとともに、引出しの側板に他端が支持されて、アームの回動により引出しが上昇される請求項１記載のキャビネット用引出し。
【発明の詳細な説明】
【技術分野】
【０００１】
本発明は、収容物の出し入れが容易なキャビネット用引出しに関する。
【背景技術】
【０００２】
従来、図５（ａ）（ｂ）に示すように、洗面化粧台等１のキャビネット２の上下段位置に引出し３Ａ，３Ｂが設けられたものがある（例えば、特許文献１参照）。
【０００３】
上記各引出し３Ａ，３Ｂは、固定レール４と可動レール５とを利用して、キャビネット２内の収納位置（二点鎖線ａ参照）とキャビネット２外の引出し位置（実線ｂ参照）とに水平状態で移動できるようになっていて、収納位置ａと引出し位置ｂとは同じ高さである。
【特許文献１】実開昭６０−１１５０３１号公報
【発明の開示】
【発明が解決しようとする課題】
【０００４】
しかしながら、特に下段の引出し３Ｂを引出した場合、図６（ａ）のように、収容物を出し入れする際に、腰を深く曲げなければならないために（かがみ込みが深い）、腰の負担が大きくなるという問題があった。
【０００５】
本発明は、上記問題を解消するためになされたもので、腰を深く曲げなくても収容物を容易に出し入れできるキャビネット用引出しを提供することを課題とするものである。
【課題を解決するための手段】
【０００６】
上記課題を解決するために、本発明は、キャビネット内に収納された引出しの収納位置に比して、キャビネットから引出された引出しの引出し位置を高くする上昇手段が設けられていることを特徴とするキャビネット用引出しを提供するものである。
【０００７】
請求項２のように、上記上昇手段は、奥側が低く、手前側が高くなったガイドが形成されて、引出しの引出し方向に移動する保持板と、上記引出しに形成されて、上記保持板のガイドに係合する被ガイドとで構成されているのが好ましい。
【０００８】
請求項３のように、上記ガイドは、連通した溝であって、コ字状に形成された上記保持板の対面する板体に対向してそれぞれ２本形成されるとともに、上記被ガイドは、上記２本の溝にそれぞれ遊嵌される突起である構成とすることが好ましい。
【０００９】
請求項４のように、上記保持板の対面する板体の下部にそれぞれレールが形成されるとともに、このレールをガイドする固定レールがキャビネットに設けられている構成とすることが好ましい。
【００１０】
請求項５のように、上記上昇手段は、アームであって、引出しの引出し方向に移動する保持板にアームの一端が支持されるとともに、引出しの側板に他端が支持されて、アームの回動により引出しが上昇される構成とすることが好ましい。
【発明の効果】
【００１１】
本発明によれば、上昇手段によって、キャビネット内に収納された引出しの収納位置に比して、キャビネットから引出された引出しの引出し位置が高くなるから、腰を深く曲げなくても収容物を容易に出し入れできるようになる。
【発明を実施するための最良の形態】
【００１２】
以下、本発明を実施するための最良の形態について、図面を参照しながら詳細に説明する。なお、先行技術と同一構成・作用の箇所は、同一番号を付して詳細な説明を省略する。
【００１３】
図１および図２は、第１実施形態であって、従来技術と同様に、キャビネット２の上下段位置に引出し３Ａ，３Ｂが設けられている。なお、上段の引出し３Ａの図示は省略している〔図６（ｂ）参照〕。
【００１４】
そして、下段の引出し３Ｂには、キャビネット２内に収納された引出し３Ｂの収納位置ａ〔図２（ａ）参照〕に比して、キャビネット２から引出された引出し３Ｂの引出し位置ｂ〔図２（ｂ）参照〕を所定の高さＴだけ高くするための第１上昇手段７が設けられている。
【００１５】
この第１上昇手段７は、平面視でコ字状に形成されて、奥板体８ａと、この奥板体８ａの両側部から手前側に延在して対面する側板体８ｂ，８ｃとでなる保持板８を備えていて、この保持板８の各側板体８ｂ，８ｃには、奥側が低く、手前側が高くなるように傾斜して連通するガイド溝９が対向して、上下にそれぞれ２本づつ形成されている。
【００１６】
上記保持板８の各側板体８ｂ，８ｃの下部には、引出し方向に延在する可動レール１０が形成されるとともに、この可動レール１０をガイドして、保持板８を引出し方向に移動させるための固定レール４がキャビネット２内に設けられている。
【００１７】
上記引出し３Ｂの側板には、上記保持板８の各側板体８ｂ，８ｃのガイド溝９にそれぞれ遊嵌状態で係合する突起状のローラ（被ガイド）１１が設けられている。
【００１８】
第１実施形態の構成であれば、図２（ａ）のように、キャビネット２内の収納位置ａに収納された引出し３Ｂを、図２（ｂ）のように、手前に引出し操作すると、可動レール１０が固定レール４でガイドされて、キャビネット２とともに保持板８が引出し方向に水平状態で移動される（矢印ｃ参照）。この可動レール１０は、最大引出し位置でストッパー（不図示）により停止される。
【００１９】
この状態から、引出し３Ｂをさらに手前に引出し操作すると、ローラ１１が保持板８のガイド溝９でガイドされて、引出し３Ｂのみがさらに引出されながら上昇されるようになる（矢印ｄ参照）。
【００２０】
このように、ガイド溝９を形成した保持板８やローラ１１等でなる第１上昇手段７によって、キャビネット２内に収納された引出し３Ｂの収納位置ａに比して、キャビネット２から引出された引出し３Ｂの引出し位置ｂが所定の高さＴだけ高くなるから、図６（ｂ）のように、腰を深く曲げなくても収容物を容易に出し入れできるようになる。
【００２１】
なお、引出し３Ｂを奥側に押し込み操作すると、上記と逆の手順で引出し３Ｂがキャビネット２内に収納位置ａに収納されるようになる。なおまた、具体的に図示しないが、引出し３Ｂを引出し位置ｂに仮係止する仮係止手段が設けられている。
【００２２】
図３および図４は、第２実施形態であって、下段の引出し３Ｂには、キャビネット２内に収納された引出し３Ｂの収納位置ａ〔図４（ａ）参照〕に比して、キャビネット２から引出された引出し３Ｂの引出し位置ｂ〔図４（ｂ）参照〕を所定の高さＴだけ高くするための第２上昇手段１３が設けられている。
【００２３】
この第２上昇手段１３は、前後一対のアーム１５Ｆ，１５Ｂを備えていて、保持板１４にアーム１５Ｆ，１５Ｂの下端（一端）がピン１６で回動自在に支持されるとともに、引出し３Ｂの側板にアーム１５Ｆ，１５Ｂの上端（他端）がピン１７で回動自在に支持されている。
【００２４】
上記保持板１４の下部には、引出し方向に延在する可動２段目レール１８が形成されるとともに、この可動２段目レール１８をガイドする可動１段目レール１９が設けられて、この可動１段目レール１９をガイドして、可動２段目レール１８とともに保持板１４を引出し方向に移動させるための固定レール４がキャビネット２内に設けられている。
【００２５】
第２実施形態の構成であれば、図４（ａ）のように、キャビネット２内の収納位置ａに収納された引出し３Ｂを手前に引出し操作すると、可動１段目レール１９が固定レール４でガイドされるとともに、可動２段目レール１８が可動１段目レール１９でガイドされて、キャビネット２とともに保持板１４が引出し方向に水平状態で移動される（矢印ｃ参照）。この可動各レール１８，１９は、最大引出し位置でストッパー（不図示）により停止される。
【００２６】
この状態から、引出し３Ｂをさらに手前に引出し操作すると、図４（ｂ）のように、アーム１５Ｆ，１５Ｂが前方に起き上がって（矢印ｄ参照）、引出し３Ｂのみがさらに引出されながら上昇されるようになる。
【００２７】
このように、アーム１５Ｆ，１５Ｂ等でなる第２上昇手段１３によって、キャビネット２内に収納された引出し３Ｂの収納位置ａに比して、キャビネット２から引出された引出し３Ｂの引出し位置ｂが所定の高さＴだけ高くなるから、図６（ｂ）のように、腰を深く曲げなくても収容物を容易に出し入れできるようになる。
【００２８】
なお、引出し３Ｂを奥側に押し込み操作すると、上記と逆の手順で引出し３Ｂがキャビネット２内に収納位置ａに収納されるようになる。なおまた、具体的に図示しないが、引出し３Ｂを引出し位置ｂに仮係止する仮係止手段が設けられている。
【図面の簡単な説明】
【００２９】
【図１】本発明の第１実施形態の第１上昇手段の分解斜視図である。
【図２】引出しと第１上昇手段であり、（ａ）は収納位置の側面図、（ｂ）は引出し位置の側面図である。
【図３】本発明の第２実施形態の第２上昇手段の分解斜視図である。
【図４】引出しと第２上昇手段であり、（ａ）は収納位置の側面図、（ｂ）は引出し位置の側面図である。
【図５】洗面化粧台等の従来のキャビネットの引出しであり、（ａ）は斜視図、（ｂ）は引出位置の側面図である。
【図６】（ａ）は、従来のキャビネットの引出しの引出し位置の側面図、（ｂ）は本発明のキャビネットの引出しの引出し位置の側面図である。
【符号の説明】
【００３０】
１      洗面化粧台等
２      キャビネット
３Ｂ    引出し
４      固定レール
７      第１上昇手段
８      保持板
８ｂ，８ｃ  側板体
９      ガイド溝（ガイド）
１０    可動レール
１１    ローラ（被ガイド、突起）
１３    第２上昇手段
１４    保持板
１５Ｆ，１５Ｂ  アーム
１８    可動１段目レール
１９    可動２段目レール
ａ      収納位置
ｂ      引出し位置
【図１】
2005087365.tif 000003
【図２】
2005087365.tif 000004
【図３】
2005087365.tif 000005
【図４】
2005087365.tif 000006
【図５】
2005087365.tif 000007
【図６】
2005087365.tif 000008